(57)【要約】 【課題】サウナ入浴後シャワーを浴びる時、不要な電力消費を抑えつつサウナ運転の再運転を素早く行うことができるサウナ装置を提供する。【解決手段】安定モード中にシャワースイッチ６１をＯＮ操作すると、送風機３５停止、空気ヒータ４３非通電、回転用モータ２２停止しつつ加熱ヒータ９だけ制御してサウナ運転を再開したらすぐにサウナ室２内の温度を設定温度にできるように温水の温度を保つシャワー待機モードに移行し、その後シャワーースイッチ６１がＯＦＦ操作されるとサウナ運転を再開するために立ち上げモードに移行するので、シャワーを浴びる時に無駄なサウナ運転を行わないようにしつつ、次の人がサウナを使用する時すぐにサウナ運転ができて使い勝手をよくすることができる。【選択図】図１
2011182945.tif 000002
【特許請求の範囲】
【請求項１】
水を貯留する貯水部と、該貯水部の水を加熱する加熱手段と、前記貯水部底部に接続され前記貯水部内の水を排水する排水管と、該排水管の途中に設けられ前記排水管の開閉を行う排水弁と、前記貯水部に貯留された温水を破砕して微細水滴及びマイナスイオンを生成する水破砕手段と、該水破砕手段で生成された微細水滴及びマイナスイオンをサウナ室内に供給する送風機と、該送風機によって循環されるサウナ室内の空気を加熱する空気加熱手段とを備え、前記微細水滴及びマイナスイオンをサウナ室内に供給するサウナ運転を行うものであって、前記サウナ運転の開始時には、貯水部内の水を排水した後に給水するクリーニングモードを行い、該クリーニングモード終了後に加熱手段により貯水部内の水を殺菌可能な温度まで加熱すると共に、水破砕手段を駆動させる除菌モードを行い、該除菌モード終了後に送風機を駆動し、空気加熱手段で加熱して、更に貯水部内に貯水されている温水温度をサウナ室の設定温度よりも高い温度に保つよう加熱手段を制御してサウナ室を設定温度まで立ち上げる立ち上げモードを行い、該立ち上げモード終了後にサウナ室内を設定温度に保つように加熱手段を制御する安定モードを行ってサウナ入浴を行えるようにすると共に、前記サウナ運転終了後には、前記加熱手段により前記貯水部内の温水を加熱すると共に、前記水破砕手段を駆動して、前記貯水部内の温水を加熱殺菌可能な温度で所定時間加熱する除菌モードを行い、該除菌モード終了時に前記排水弁を開弁後、前記送風機と前記空気加熱手段と前記換気手段とを駆動させる乾燥モードを行い、該乾燥モード終了時に前記排水弁を開弁したまま停止状態となるサウナ装置において、安定モードの時にシャワースイッチがＯＮ操作されると、送風機を停止し、空気加熱手段を停止し、水破砕手段を停止した状態で、貯水部内の水をサウナ室内を設定温度に保つことができる温水温度であるように加熱手段を制御するシャワー待機モードに移行し、該シャワー待機モード中にシャワースイッチがＯＦＦ操作されると、立ち上げモードに移行することを特徴とするサウナ装置。
【請求項２】
前記シャワー待機モードに移行してからシャワースイッチがＯＦＦ操作されずに所定時間経過した時、サウナ運転終了後の除菌モードに移行することを特徴とする請求項１記載のサウナ装置。
【請求項３】
前記水破砕手段で生成された微細水滴及びマイナスイオンをサウナ室内に供給する放出口にシャッターを設け、シャワー待機モードではシャッターを閉状態とし、シャワー待機モード以外では開状態とすることを特徴とする請求項２記載のサウナ装置。
【発明の詳細な説明】
【技術分野】
【０００１】
この発明は、貯水部に貯留した温水を破砕し微細水滴及びマイナスイオンを生成して、それをサウナ室内に供給するサウナ装置に関するものである。
【背景技術】
【０００２】
本出願人は先に下記の特許文献１にて、サウナ室内に低温高湿のサウナ雰囲気を形成するサウナ装置を提供した。
かかるサウナ装置を図１５〜１８を用いて説明すると、図１５において、１０１は低温のサウナ室１０２のベンチ１０３下に備えられた微細水滴及びマイナスイオン発生装置で、サウナ室１０２内の上部まで延びた吸引ダクト１０４を介して該サウナ室１０２内の空気を吸引し、塵や細菌を除去した後に、加熱昇温した微細水滴及びマイナスイオンをベンチ１０３下方に形成した放出口１０５からサウナ室１０２に供給して、順次これを繰り返してサウナ室１０２の空気を循環させることで、サウナ室１０２を使用室温３８〜４２℃、相対湿度９０％以上の低温高湿サウナの使用雰囲気とするものである。また、１０６はサウナ室２を換気する換気扇である。
【０００３】
次に、前記微細水滴及びマイナスイオン発生装置１０１について、図１６〜１７に基づいて説明すると、１０７は水を一定量貯留する貯水部、１０８は貯水部１０７の一側壁に接続され貯水部１０７に給水する給水管、１０９は給水管１０８の途中に設けられ給水管１０８の開閉を行う自動給水弁、１１０は貯水部１０７に貯められた水を加熱する加熱ヒータ、１１１は貯水部１０７の底部に接続され貯水部１０７に貯められた水または加熱ヒータ１１０に加熱された加熱水を排水する排水管、１１２は排水管１１１の途中に設けられ排水管１１１の開閉を行う自動排水弁である。
【０００４】
１１３は下部を水没させ上方に向かって径が拡大した擂り鉢状の回転体１１４を回転させる回転用モータ、１１５は前記回転体１１４の外周に所定間隔を保持して位置し、回転体１１４と共に回転する円筒状の多孔体で、前記回転体１１４は前記回転用モータ１１３による駆動で回転し、回転体１１４の回転による遠心力で貯水部１０７内の水を汲み上げると共に空気を飛散させ、そして多孔体１１５全周壁に形成した多数のスリットや金網やパンチングメタル等を、通過させたり、ぶつけて破砕させることで、水の粒子を微細化してナノメートル（ｎｍ）サイズの微細水滴を生成すると共に、この水の粒子の微細化によるレナード効果でマイナスイオンを発生させるものである。
【０００５】
１１６は送風機で、吸引ダクト１０４を介して吸引されたサウナ室１０２内の空気を、微細水滴及びマイナスイオン発生装置１０１内に導き、微細水滴及びマイナスイオン発生装置１０１内で発生した微細水滴及びマイナスイオンをのせて、サウナ室１０２に送風により供給するものであり、また、１１７は吸引ダクト１０４を介して吸引されたサウナ室１０２内の空気を加熱する空気ヒータである。
【０００６】
次に、図１８において、１１８はこのサウナ装置を遠隔操作するリモコンで、このリモコン１１８には、サウナ装置の運転開始及び停止を指示する運転スイッチ１１９と、換気扇１０６を駆動させサウナ室１０２内の換気等を行わせる換気スイッチ１２０とが設けられているものである。
【０００７】
次に、この従来のサウナ装置の作動について図１９のフローチャートを用いて説明する。
今サウナ装置の運転スイッチ１１９をＯＮ操作すると、サウナ装置の運転が開始され、まず、貯水部１０７内の水または温水を排水する排水管１１１の開閉を行う自動排水弁１１２を開弁し、貯水部１０７内に給水する給水管１０８を開閉する自動給水弁１０９を開弁して、貯水部１０７内に給水を行い、貯水部１０７内を洗浄して排水するクリーニングモードが行われる。
【０００８】
前記クリーニングモードが終了すると、自動排水弁１１２を閉弁して、貯水部１０７内に給水を行い、加熱ヒータ１１０に通電し貯水部１０７内の水を殺菌可能な温度まで加熱すると共に、回転用モータ１１３を駆動させて回転体１１４及び多孔体１１５を回転させる除菌モードＡが行われる。
【０００９】
前記除菌モードＡが終了すると、送風機１１６の駆動を開始させると共に、空気ヒータ１１７を通電させ、さらに、貯水部１０７内に貯水されている温水温度を、サウナ室の設定温度よりも高い温度に保つよう加熱ヒータ１１０を制御して、サウナ室１０２を設定温度まで立ち上げる立ち上げモードが行われる。
【００１０】
前記立ち上げモードが終了すると、サウナ室１０２内を設定温度に保つように加熱ヒータ１１０を制御して、設定温度での安定した快適なサウナ入浴を行えるようにする安定モードが行われる。
【００１１】
前記安定モードで、連続運転時間が終了すると、送風機１１６を停止し、自動的に運転スイッチＯＦＦとなる。そして、前記安定モードが終了すると、加熱ヒータ１１０により貯水部１０７内の水を殺菌可能な温度まで加熱すると共に、回転用モータ１１３を駆動させて回転体１１４及び多孔体１１５を回転させる除菌モードＢが行われる。
【００１２】
前記除菌モードＢでの除菌が終了し自動排水弁１１２を開弁して、前記除菌モードＢが終了すると、換気扇１０６及び送風機１１６の駆動を開始させると共に、空気ヒータ１１７を通電させて、サウナ室１０２内の湿気を排出すると共に、微細水滴及びマイナスイオン発生装置１０１内及びサウナ室１０２内を乾燥させる乾燥モードが行われるものであり、乾燥モードが終了するとサウナ装置は自動排水弁１１２が開弁の状態のまま停止状態となる。
【００１３】
そして停止状態中に換気スイッチ１２０がＯＮ操作されると、換気扇１０６と送風機１１６と空気ヒータ１１７とを予め設定した設定時間駆動させ、ユーザがサウナ室内の乾燥が十分でないと判断した場合は、停止状態中に換気スイッチ１２０を操作すれば、サウナ室内をさらに乾燥させることができ、サウナ室内のカビの発生や菌等の繁殖を防止することができるものであった。
（例えば、特許文献１参照）
【先行技術文献】
【特許文献】
【００１４】
【特許文献１】特願２００８−１７５９２１号
【発明の概要】
【発明が解決しようとする課題】
【００１５】
ところでこの従来のものでは、シャワーや浴槽のある浴室内にサウナ室を設け、使用者がサウナ使用後に浴室内のシャワーを浴びて汗を流す時、サウナ室内が無人でサウナ運転を行っているのは無駄と判断して、浴室内のサウナ運転を停止した場合、一旦サウナ運転を停止させると除菌モードＢ、乾燥モードと進んで運転を終了してしまい、再度運転スイッチを押しても、除菌モードＢ、乾燥モードと進んで運転を終了し、そのあと運転開始となってクリーニングモードから始まって安定モードに進んでサウナ使用が可能となるため、次に使用者がいる場合は、サウナ室内が無人の状態でサウナ運転を停止せずにシャワーを浴びたり、又は一旦停止すると次の使用者がサウナを使用するまでに時間がかかってしまうという問題があった。
【課題を解決するための手段】
【００１６】
この発明はこの点に着目し上記課題を解決する為、特にその構成を請求項１では、水を貯留する貯水部と、該貯水部の水を加熱する加熱手段と、前記貯水部底部に接続され前記貯水部内の水を排水する排水管と、該排水管の途中に設けられ前記排水管の開閉を行う排水弁と、前記貯水部に貯留された温水を破砕して微細水滴及びマイナスイオンを生成する水破砕手段と、該水破砕手段で生成された微細水滴及びマイナスイオンをサウナ室内に供給する送風機と、該送風機によって循環されるサウナ室内の空気を加熱する空気加熱手段とを備え、前記微細水滴及びマイナスイオンをサウナ室内に供給するサウナ運転を行うものであって、前記サウナ運転の開始時には、貯水部内の水を排水した後に給水するクリーニングモードを行い、該クリーニングモード終了後に加熱手段により貯水部内の水を殺菌可能な温度まで加熱すると共に、水破砕手段を駆動させる除菌モードを行い、該除菌モード終了後に送風機を駆動し、空気加熱手段で加熱して、更に貯水部内に貯水されている温水温度をサウナ室の設定温度よりも高い温度に保つよう加熱手段を制御してサウナ室を設定温度まで立ち上げる立ち上げモードを行い、該立ち上げモード終了後にサウナ室内を設定温度に保つように加熱手段を制御する安定モードを行ってサウナ入浴を行えるようにすると共に、前記サウナ運転終了後には、前記加熱手段により前記貯水部内の温水を加熱すると共に、前記水破砕手段を駆動して、前記貯水部内の温水を加熱殺菌可能な温度で所定時間加熱する除菌モードを行い、該除菌モード終了時に前記排水弁を開弁後、前記送風機と前記空気加熱手段と前記換気手段とを駆動させる乾燥モードを行い、該乾燥モード終了時に前記排水弁を開弁したまま停止状態となるサウナ装置において、安定モードの時にシャワースイッチがＯＮ操作されると、送風機を停止し、空気加熱手段を停止し、水破砕手段を停止した状態で、貯水部内の水をサウナ室内を設定温度に保つことができる温水温度であるように加熱手段を制御するシャワー待機モードに移行し、該シャワー待機モード中にシャワースイッチがＯＦＦ操作されると、立ち上げモードに移行するものである。
【００１７】
又請求項２に係るサウナ装置では、特にその構成を、前記シャワー待機モードに移行してからシャワースイッチがＯＦＦ操作されずに所定時間経過した時、サウナ運転終了後の除菌モードに移行するものである。
【００１８】
又請求項３に係るサウナ装置では、特にその構成を、前記水破砕手段で生成された微細水滴及びマイナスイオンをサウナ室内に供給する放出口にシャッターを設け、シャワー待機モードではシャッターを閉状態とし、シャワー待機モード以外では開状態とするものである。
【発明の効果】
【００１９】
この発明の請求項１によれば、安定モードの時にシャワースイッチがＯＮ操作されると、送風機を停止し、空気加熱手段を停止し、水破砕手段を停止した状態で、貯水部内の水をサウナ室内を設定温度に保つことができる温水温度であるように加熱手段を制御するシャワー待機モードに移行し、該シャワー待機モード中にシャワースイッチがＯＦＦ操作されると、立ち上げモードに移行するので、加熱ヒータ９だけ制御してサウナ運転を再開したらすぐにサウナ室２内の温度を設定温度にできるように温水の温度を４０℃〜５０℃程度に保ち、それによりシャワーを浴びる時に無駄なサウナ運転を行わないようにしつつ、次の人がサウナを使用する時すぐにサウナ運転ができて使い勝手をよくすることができるものである。
【００２０】
又本発明の請求項２に記載のサウナ装置によれば、前記シャワー待機モードに移行してからシャワースイッチがＯＦＦ操作されずに所定時間経過した時、サウナ運転終了後の除菌モードに移行するので、シャワー待機モードに設定したままになっても自動的に運転を停止するので、シャワースイッチをＯＦＦ操作するのを忘れても運転が終了されて安全であり、また無駄な運転を行うことを防止できるものである。
【００２１】
又本発明の請求項３に記載のサウナ装置によれば、前記水破砕手段で生成された微細水滴及びマイナスイオンをサウナ室内に供給する放出口にシャッターを設け、シャワー待機モードではシャッターを閉状態とし、シャワー待機モード以外では開状態とするもので、サウナ室内でシャワーを浴びる時にシャンプーや石けんの混ざったシャワーの水が微細水滴及びマイナスイオン発生装置に入るのを防ぎ、貯水部内の水が汚れるのを防止できるものである。
【図面の簡単な説明】
【００２２】
【図１】この発明の一実施形態のサウナ装置の概略構成図。
【図２】同一実施形態の微細水滴及びマイナスイオン発生装置の横断面図。
【図３】同一実施形態の微細水滴及びマイナスイオン発生装置の縦断面図。
【図４】同一実施形態のサウナ室内の平面図。
【図５】同一実施形態のサウナ室の外観図。
【図６】同一実施形態の要部電気回路ブロック図
【図７】同一実施形態の一連の動作を示すフローチャート。
【図８】同一実施形態のクリーニングモードの作動を示すフローチャート。
【図９】同一実施形態の除菌モードＡの作動を示すフローチャート。
【図１０】同一実施形態の立ち上げモードの作動を示すフローチャート。
【図１１】同一実施形態の安定モードの作動を示すフローチャート。
【図１２】同一実施形態の除菌モードＢの作動を示すフローチャート。
【図１３】同一実施形態の乾燥モードの作動を示すフローチャート。
【図１４】同一実施形態のシャワー待機モードの作動を示すフローチャート。
【図１５】従来例のサウナ装置の概略構成図。
【図１６】従来例の微細水滴及びマイナスイオン発生装置の横断面図。
【図１７】従来例の微細水滴及びマイナスイオン発生装置の縦断面図。
【図１８】従来例のサウナ室の外観図。
【図１９】従来例の一連の動作を示すフローチャート。
【発明を実施するための形態】
【００２３】
次に、本発明のサウナ装置の一実施形態を図面に基づき説明する。
図１において、１は低温のサウナ室２のベンチ３下に備えられた微細水滴及びマイナスイオン発生装置で、サウナ室２内の上部まで延びた吸引ダクト４を介して該サウナ室２内の空気を吸引し、塵や細菌を除去した後に、加熱昇温した微細水滴及びマイナスイオンをベンチ３下方に形成した放出口５からサウナ室２に供給して、順次これを繰り返してサウナ室２の空気を循環させることで、サウナ室２を使用室温３８〜４２℃、相対湿度９０％以上の低温高湿サウナの使用雰囲気とするものである。
【００２４】
次に、前記微細水滴及びマイナスイオン発生装置１について、図２〜４に基づいて説明する。
６は水を一定量貯留する貯水部、７は貯水部６の一側壁に接続され貯水部６に給水する給水管、８は給水管７の途中に設けられ給水管７の開閉を行う自動給水弁、９は貯水部６に貯められた水を加熱し、貯水部６の水面下で貯水部６底部近傍に単相２００Ｖ、２ＫＷで平面視Ｍ字状に水平に取り付けられてＵ字部１０を３箇所有した加熱ヒータ、１１は貯水部６の一側壁に設けたオーバーフロー管、１２は貯水部６の底部に接続され貯水部６に貯められた水または加熱ヒータ９に加熱された加熱水を排水する排水管、１３は排水管１２の途中に設けられ排水管１２の開閉を行う自動排水弁である。
【００２５】
１４は前記貯水部６内を処理室１５と分離室１６の２室に仕切る仕切壁で、下端を分離室１６側を屈曲し水面との間の連通路１７を水面近傍まで下げることにより、処理室１５から分離室１６へ向かう空気中の大粒のミスト（水滴）を水面にぶつけて落下させる気液分離器の役目も果たすようにしている。
【００２６】
前記処理室１５には、貯水部６の蓋体１８に設けた挿通穴１９に、防水カバー２０の凹部２１に回転用モータ２２の下半分を収容して挿通し、回転用モータ２２と支軸２３とを連結し、下部を水没させ上方に向かって径が拡大した擂り鉢状の回転体２４が、加熱ヒータ９の給水管７から一番離れた方のＵ字部１０中に垂下して設けられ、この回転体２４は前記回転用モータ２２による駆動で回転し、その遠心力で加熱ヒータ９で加熱された貯水部６内の温水を回転体２４表面及びむしろ裏面に沿って吸い上げ、上端に形成した複数の細孔２５から周囲に飛散させるものである。
【００２７】
前記分離室１６には、仕切壁１４の下端を分離室１６下方に向かって傾斜屈曲させた第１の邪魔板２６と、この仕切壁１４と対向する側壁に、下方に向かって傾斜して取り付けた第２の邪魔板２７とで交互に突出させて、中央部に下部の連通路１７から上部の放出口５に向かう蛇行路２８が形成されているものである。
【００２８】
２９は前記回転体２４の外周に所定間隔を保持して位置し、該回転体２４と共に回転する円筒状の多孔体で、回転体２４の回転による遠心力で貯水部６内の水を汲み上げると共に空気を飛散させ、そして多孔体２９全周壁に形成した多数のスリットや金網やパンチングメタル等から成る多孔部３０を、通過させたり、ぶつけて破砕させることで、水の粒子を微細化してナノメートル（ｎｍ）サイズの微細水滴を生成すると共に、この水の粒子の微細化によるレナード効果でマイナスイオンを発生させるものであり、前記回転体２４を回転させる回転用モータ２２と、回転体２４と、回転体２４と共に回転する多孔体２９とから水破砕手段が構成されているものである。
【００２９】
３１は前記多孔体２９の外周に所定の間隔を置いて多孔体２９を覆うように配置された楕円形状の空気案内筒で、円筒状の多孔体２９との間には一対の大流通路３２、３２と一対の小流通路３３、３３とが形成されるように、処理室１５の上方を塞ぐ中蓋３４に設けられており、分離室１６の上部で該分離室１６と放出口５とを連通する位置に備えられたクロスフローファンから成る送風機３５の駆動で、吸引ダクト４を介し蓋体１８と中蓋３４との間の給気口３６から吸引されたサウナ室２内の空気を、一側壁に吸引ダクト４が接続される給気口３６を有し蓋体１８と中蓋３４との間の空間で形成される給気室３７に流入させ、処理室１５上部の給気室３７から処理室１５に向かって回転体２４の上方から空気案内筒３１内に流入させることで、水の粒子の破砕回数を増やすと共に、空気のマイナス帯電も増加させ結果としてナノメートルサイズの微細水滴及びマイナスイオンを大量に発生させることができるものであり、例えばマイナスイオンではサウナ室２の中央部中間位置で約７０００個／ＣＣを検出するものである。
なお、前記送風機３５は回転数可変のクロスフローファンであり、回転数の高い強運転と回転数の低い弱運転とを行うことができるものである。
【００３０】
前記空気案内筒３１には、その内周縁に内方に突出したフランジ部３８が設けられ、このフランジ部３８は、回転体２４の回転による遠心力により水が貯水部６から汲み上げられ多孔体２９を介して飛散し空気案内筒３１を跳ね返った水が、意図しない箇所、例えば、蓋体１８に固定された回転用モータ２２と支軸２３との接続部近傍や、給気室３７内に飛散するのを防止するために、回転体２４の上面よりも上方の高さ位置に設けられているものである。
【００３１】
３９は貯水部６内の底部に備えられ貯水部６内の水または温水があるときに検出信号を出力する水位検出手段としての２つのフロートスイッチ４０、４１から成り、フロートスイッチ４０は貯水部６に貯められる水の低水位を検出するもので、加熱ヒータ９が水面上に露呈しない所定水位まで水があるときに検出信号を出力するものであり、フロートスイッチ４１は貯水部６に貯められる水の高水位を検出するもので、フロートスイッチ４０が水ありを検出する水位よりも高い所定水位に達したときに、検出信号を出力するものであり、貯水部６の水位が加熱ヒータ９が水面上に露呈しない所定水位に低下すると、低水位検出用のフロートスイッチ４０がＯＦＦとなり、自動給水弁８を開弁して一定水位まで給水を行い、そして、貯水部６内が所定水位に達して、高水位検出用のフロートスイッチ４１がＯＮとなると、自動給水弁８を閉弁するものであり、サウナ運転中は常に貯水部６を所定水位範囲内に保持するものである。
【００３２】
４２は前記２つのフロートスイッチ４０、４１を貯水部６の水面変動の影響を受けないように保護する断面コ字状の保護枠で、正面及び両側方を水面上まで突出させた枠体とし、貯水部６の一側壁とで２つのフロートスイッチ４０、４１を囲ったものであり、上面で２つのフロートスイッチ４０、４１を垂下して固定している。
【００３３】
４３は吸引ダクト４と共に給気経路を構成する給気口３６に取り付けられたＵ字状の、１００Ｖ、３４０Ｗの空気加熱手段としての空気ヒータで、給気口３６の側壁から突出し該側壁に対して上方をやや後側に寝かせて傾斜させた状態にし、Ｕ字状のヒータ部分が重ならずに小さな面でサウナ室２内からの送風空気と効率良く接するよう配置しサウナ室２内からの空気を加熱するものであり、サウナ装置の運転開始時に送風機３５を駆動させると共に、空気ヒータ４３に通電してサウナ室２を循環させる空気を加熱し、サウナ室２の雰囲気温度を上昇させて、立ち上がり時間の短縮を図るものであり、さらに、サウナ装置の運転終了後には送風機３５を駆動すると共に空気ヒータ４３に通電させ、温風によって装置１内を乾燥させ、衛生状態の良好を保つようにしたものである。
【００３４】
４４は貯水部６の下部外壁で所定水位に設けられ貯水部６内の貯水温度を検出する貯水温度検出手段としての貯水温度センサ、４５は同じく貯水部６の下部外壁で所定水位に設けられた過熱防止センサで、貯水部６が異常過熱状態になった時、全駆動を停止させて安全を確保するものである。
【００３５】
また、図１において、４６はサウナ室２内の上部の取り付けられサウナ室２内の室内温度を検出する室温検出手段としての室温センサである。
４７はサウナ室２を換気する換気手段としての換気扇、４８はサウナ室２への出入り用のドアで、４９はドア４８上部に設けられた覗き窓、５０はドア４８下部に設けられサウナ室２外からサウナ室２内に空気を取り込む空気取入口で、この空気取入口５０は、換気扇４７が駆動すると開いてサウナ室２外からサウナ室２内に空気を供給する構造となっている。
また、５１は緊急スイッチで、サウナ室２内で入浴者であるユーザに異常が発生した場合に、ユーザによりこの緊急スイッチ５１が操作されると、ブザーを鳴らす等によってサウナ室２内で異常が発生したことをサウナ室２外に報知し、自動排水弁１３を開弁して貯水部６内の温水を排水させると共に、換気扇４７を作動させることで、サウナ室２内の温度及び湿度を低下させてサウナ室２内を平常状態に戻す動作が為されるものである。
【００３６】
次に、図５に示すように、５２はこのサウナ装置を遠隔操作するリモコンで、このリモコン５２には、サウナ室２内の室内設定温度を表示する室内設定温度表示部５３と、室温センサ４６の検出するサウナ室２内の温度を表示する室内温度表示部５４と、サウナ室２内の設定温度、例えば３８℃〜４２℃を１℃刻みで設定する室温設定スイッチ５５と、サウナ装置の運転開始及び停止を指示する運転スイッチ５６と、運転スイッチ５６のＯＮ／ＯＦＦを表示する運転ランプ５７と、換気扇４７のＯＮ／ＯＦＦを指示しサウナ室２内の換気を指示したり、換気扇４７と送風機３５と空気ヒータ４３とのＯＮ／ＯＦＦを指示しサウナ室２内の乾燥を指示する換気スイッチ５８と、換気スイッチ５８のＯＮ／ＯＦＦを表示する換気ランプ５９と、サウナ室２内が室温設定スイッチ５５で設定した設定温度に達したら点灯し、サウナ室２への入室許可を報知する入浴ランプ６０と、シャワーを浴びる時に操作してシャワー待機モードに設定するシャワースイッチ６１が設けられているものである。
【００３７】
次に、図６に示す要部電気回路のブロック図を説明すれば、６２は記憶、演算、時間カウント等の機能を有し、このサウナ装置を制御する制御手段で、制御手段６２と前記リモコン５２とは無線または有線により通信可能に接続されているものであり、制御手段６２の入力側には、フロートスイッチ４０、４１と、貯水温度センサ４４と、過熱防止センサ４５と、室温センサ４６と、緊急スイッチ５１とが接続されており、出力側には、自動給水弁８と、加熱ヒータ９と、自動排水弁１３と、回転用モータ２２と、送風機３５と、空気ヒータ４３と、換気扇４７が接続されているものである。
【００３８】
次にこのサウナ装置の一実施形態の作動について図７〜図１３のフローチャートを用いて説明する。
今サウナ室２の側壁に備えられたリモコン５２の室温設定スイッチ５５によりサウナ２室の設定温度（３８〜４２℃）を設定し、運転スイッチ５６をＯＮ操作すると運転ランプ５７が点灯し、サウナ装置の運転が開始され、サウナ装置の準備運転であるクリーニングモードが開始される（ステップＳ１００）。
このクリーニングモードでは、貯水部６内の水または温水を排水する排水管１２の開閉を行う自動排水弁１３を開弁すると共に、貯水部６内に給水する給水管７を開閉する自動給水弁８を開弁して、貯水部６内に給水を行って、貯水部６内に水を貯める前に貯水部６内の底に残ったホコリ、塵、菌などを洗浄して排水するものである。
【００３９】
次に、上記のクリーニングモードの作動について図８のフローチャートを用いて説明すると、まず制御手段６２は、自動排水弁１３を開弁させ（ステップＳ１０１）、低水位検出用のフロートスイッチ４０がＯＦＦか否かを判断し（ステップＳ１０２）、フロートスイッチ４０がＯＦＦでないと判断している間は前記ステップＳ１０２の処理を繰り返し、フロートスイッチ４０がＯＦＦであると判断すると、一定時間遅延させた後に自動給水弁８を開弁させる（ステップＳ１０３）。
前記ステップＳ１０３で自動給水弁８を開弁させ貯水部６内に給水を開始すると、続いて、所定時間が経過したか否かを判断し（ステップＳ１０４）、所定時間が経過したと判断すると、自動排水弁１３を閉弁させて（ステップＳ１０５）、クリーニングモードを終了するものである。
【００４０】
前記ステップＳ１００のクリーニングモードが終了すると、続いて除菌モードＡ（ステップＳ２００）に遷移するものであり、この除菌モードＡでは、貯水部６内底部近傍に配設された加熱ヒータ９に通電し貯水部６内の水を殺菌可能な温度まで加熱すると共に、回転体２４を回転させる回転用モータ２２を駆動させて、貯水部６内に貯められた水を殺菌すると共に、貯水部６から加熱された温水を汲み上げる回転体２４や、回転体２４の外周に配置され回転体２４と共に回転する多孔体２９や、多孔体２９を覆うように配置された空気案内筒３１に付着したホコリ、塵、菌等を洗い流して清潔な状態にし回転体２４、多孔体２９、空気案内筒３１を除菌・殺菌するものである。
【００４１】
次に、上記の除菌モードＡの作動について図９のフローチャートを用いて説明すると、まず制御手段６２は、低水位検出用のフロートスイッチ４０がＯＮか否かを判断し（ステップＳ２０１）、フロートスイッチ４０がＯＮであると判断すると、貯水部６内の水を加熱する加熱ヒータ９に通電させると共に、回転体２４を回転させる回転用モータ２２の駆動を開始させ（ステップＳ２０２）、貯水温度センサ４４で検出する貯水部６内の温水温度が殺菌可能な所定温度、例えば６０℃以上か否かを判断する（ステップＳ２０３）。
【００４２】
そして、前記ステップＳ２０３で、貯水部６内の温水温度が６０℃以上であると判断すると、加熱ヒータ９への通電をＯＦＦにすると同時に貯水部６内の水（温水）を加熱殺菌する所定時間、つまり除菌時間のカウントを開始させ（ステップＳ２０４）、貯水温度センサ４４で検出する貯水部６内の温水温度が５８℃以下になったら、再度加熱ヒータ９に通電し、貯水温度センサ４４で検出する貯水部６内の温水温度が６０℃以上になったら、再度加熱ヒータ９への通電をＯＦＦにするというように、貯水部６の温水温度を殺菌可能温度に保つように加熱ヒータ９をＯＮ／ＯＦＦ制御し（ステップＳ２０５）、除菌時間、例えば１分間のカウントが終了するまで前記ステップＳ２０５を繰り返す（ステップＳ２０６）。
そして、除菌時間のカウントが終了したと判断すれば（ステップＳ２０６でＹＥＳ）、加熱ヒータ９の通電をＯＦＦにし（ステップＳ２０７）、除菌モードＡを終了しサウナ装置の準備運転を終了するものである。
【００４３】
前記ステップＳ２００の除菌モードＡが終了しサウナ装置の準備運転を終了すると、続いてサウナ装置のサウナ運転である立ち上げモード（ステップＳ３００）に遷移するものであり、この立ち上げモードでは、送風機３５を強運転に設定し送風機３５の駆動を開始させると共に、給気口３６に取り付けられた空気ヒータ４３を通電させ、さらに、貯水部６内に貯水されている温水温度を、室温設定スイッチ５５で設定した設定温度よりも高い温度に保つよう加熱ヒータ９をＯＮ／ＯＦＦ制御することで、サウナ室２内の空気を空気ヒータ４３により加熱し、微細水滴及びマイナスイオン発生装置１にて、設定温度よりも高い温度に加熱昇温された貯水部６内の温水を破砕して生成された微細水滴及びマイナスイオンを、送風機３５により放出口５からサウナ室２に供給して、順次これを繰り返してサウナ室２の空気を循環させて、サウナ室２内の立ち上げを早急に行うものである。
【００４４】
次に、上記の立ち上げモードの作動について図１０のフローチャートを用いて説明すると、まず制御手段６２は、送風機３５を強運転に設定し送風機３５の駆動を開始させると共に、空気ヒータ４３を通電させ（ステップＳ３０１）、貯水温度センサ４４で検出する貯水部６内の温水温度が４６℃以下になったら、加熱ヒータ９に通電し、貯水温度センサ４４で検出する貯水部６内の温水温度が４８℃以上になったら、加熱ヒータ９への通電をＯＦＦにするというように、貯水部６の温水温度を設定温度より所定温度高い温度に保つように加熱ヒータ９をＯＮ／ＯＦＦ制御し（ステップＳ３０２）、サウナ室２の上部に設けた室温センサ４６の検出する検出温度が、設定温度に達するまで前記ステップＳ３０２を繰り返す（ステップＳ３０３）。
そして、設定温度に達したと判断したら（ステップＳ３０３でＹＥＳ）、リモコン５２の入浴ランプ６０を点灯させると共に、ブザー（図示せず）を鳴らす等して、サウナ室２が設定温度で相対湿度９０％以上の低温サウナの使用雰囲気となり入室可能となった旨を報知し（ステップＳ３０４）、立ち上げモードを終了するものである。
【００４５】
前記ステップＳ３００の立ち上げモードが終了すると、続いて安定モード（ステップＳ４００）に遷移するものであり、この安定モードでは、加熱ヒータ９のＯＮ／ＯＦＦ制御を、貯水温度センサ４４で検出する貯水部６の温水温度に基づく制御から室温センサ４６で検出するサウナ室２内の室内温度に基づく制御に切り換えることで、設定温度での安定した快適なサウナ入浴を行えるようにするものであり、さらに送風機３５を強運転から弱運転に切り換えることで、サウナ室２内の騒音を抑えてユーザが快適なサウナ入浴を行えるようにするものである。
【００４６】
次に、上記の安定モードの作動について図１１のフローチャートを用いて説明すると、まず制御手段６２は、空気ヒータ４３への通電をＯＦＦにすると共に、送風機３５を弱運転にし（ステップＳ４０１）、連続運転時間である予め設定された所定時間（例えば６０分）のカウントを開始する（ステップＳ４０２）。ここで、連続運転時間は、サウナ室２内が設定温度に達したときにカウントが開始されるものである。
続いて、室温センサ４６で検出するサウナ室２内の温度が、設定温度−０．５℃以下になったら、加熱ヒータ９に通電し、室温センサ４６で検出するサウナ室２内の温度が設定温度以上になったら、加熱ヒータ９への通電をＯＦＦにするというように、サウナ室２内の温度を設定温度に保つように加熱ヒータ９をＯＮ／ＯＦＦ制御し（ステップＳ４０３）、その時の温水温度は４０℃〜５０℃程度である。
【００４７】
そして、連続運転開始から所定時間、例えば１０分が経過したら換気扇４７に一定時間、例えば１０秒程度短時間通電し、換気扇４７を駆動させてサウナ室２内の換気を行い、１０秒経過したら換気扇４７をＯＦＦにし、再び１０分が経過したら換気扇４７に１０秒程度通電し駆動させてサウナ室２内の換気を行い、１０秒経過したら換気扇４７をＯＦＦにするというように換気扇４７を制御し（ステップＳ４０４）、連続運転時間のカウントが終了までは前記ステップＳ４０３及び前記ステップＳ４０４を繰り返す（ステップＳ４０５）。
そして、連続運転時間のカウントが終了したと判断したら（ステップＳ４０５でＹＥＳ）、ブザー等を鳴らして、入浴ランプ６０及び運転ランプ５７を消灯すると共に、送風機３５を停止させ（ステップＳ４０６）、自動的に運転スイッチＯＦＦとなり、安定モードを終了しサウナ運転を終了するものである。なお、安定モードの連続運転時間中にユーザにより運転スイッチ５６がＯＦＦ操作された場合は、即刻前記ステップＳ４０６の処理に移行し、安定モードを終了しサウナ運転を終了するものである。
【００４８】
前記ステップＳ４００で安定モードが終了しサウナ運転が終了すると、続いてサウナ装置の終了運転である除菌モードＢ（ステップＳ５００）に遷移するものであり、この除菌モードＢでは、サウナ運転で送風機３５を駆動させサウナ室２内の空気を循環させた結果、細菌などを取り込んだ貯水部６内の温水を、加熱ヒータ９により殺菌可能な温度まで加熱すると共に、回転体２４を回転させる回転用モータ２２を駆動させることで、貯水部６内に貯められた温水を殺菌すると共に、その温水により貯水部６から加熱された温水を汲み上げる回転体２４や、回転体２４の外周に配置され回転体２４と共に回転する多孔体２９や、多孔体２９を覆うように配置された空気案内筒３１に付着したホコリ、塵、菌等を洗い流して清潔な状態にし、回転体２４、多孔体２９、空気案内筒３１を除菌・殺菌するものである。
【００４９】
次に、上記の除菌モードＢの作動についてフローチャート図１２を用いて説明すると、まず制御手段６２は、貯水温度センサ４４で検出する貯水部６内の温水温度が殺菌可能な所定温度、例えば６０℃以上か否かを判断し（ステップＳ５０１）、貯水部６内の温水温度が６０℃以上であると判断すると、加熱ヒータ９への通電をＯＦＦにすると同時に貯水部６内の水（温水）を加熱殺菌する所定時間、つまり除菌時間のカウントを開始させ（ステップＳ５０２）、貯水温度センサ４４で検出する貯水部６内の温水温度が５８℃以下になったら、加熱ヒータ９に通電し、貯水温度センサ４４で検出する貯水部６内の温水温度が６０℃以上になったら、加熱ヒータ９への通電をＯＦＦにするというように、貯水部６の温水温度を殺菌可能温度に保つように加熱ヒータ９をＯＮ／ＯＦＦ制御し（ステップＳ５０３）、除菌時間、例えば１分間のカウントが終了するまで前記ステップＳ５０３を繰り返す（ステップＳ５０４）。
そして、除菌時間のカウントが終了したと判断すれば（ステップＳ５０４でＹＥＳ）、加熱ヒータ９の通電をＯＦＦにすると共に、回転用モータ２２の駆動を停止させ、さらに自動排水弁１３を開弁し（ステップＳ５０５）、除菌モードＢを終了するものである。
【００５０】
前記ステップＳ５００の除菌モードＢが終了すると、続いて乾燥モード（ステップＳ６００）に遷移するものであり、この乾燥モードでは、送風機３５の駆動を開始させると共に、給気口３６に取り付けられた空気ヒータ４３を通電させ、さらに換気扇４７を駆動させることで、微細水滴及びマイナスイオン発生装置１内や吸引ダクト４内及びサウナ室２内を乾燥させるものである。
【００５１】
前記ステップＳ５００の除菌モードＢが終了すると、続いて乾燥モード（ステップＳ６００）に遷移するものであり、この乾燥モードでは、送風機３５の駆動を開始させると共に、給気口３６に取り付けられた空気ヒータ４３を通電させ、さらに換気扇４７を駆動させることで、微細水滴及びマイナスイオン発生装置１内や吸引ダクト４内及びサウナ室２内を乾燥させるものである。
【００５２】
次に、上記の乾燥モードの作動について図１３のフローチャートを用いて説明すると、まず制御手段６１は、送風機３５を強運転に設定し送風機３５の駆動を開始させると共に、空気ヒータ４３を通電させ、さらに換気扇４７を駆動させ（ステップＳ６０１）、換気ランプ５９が点灯し、予め設定した乾燥時間、例えば９０分間のカウントが終了したか否かを判断し（ステップＳ６０２）、乾燥時間が終了したと判断すると、送風機３５の駆動を停止させると共に、空気ヒータ４３の通電をＯＦＦにし、さらに換気扇４７の駆動を停止させて（ステップＳ６０３）、換気ランプ５９が消灯して乾燥モードを終了しサウナ装置の終了運転を終了してサウナ装置は停止状態となるものである。なお、乾燥モードの乾燥時間中にユーザにより換気スイッチ５８がＯＦＦ操作された場合は、即刻前記ステップＳ６０３の処理に移行し、乾燥モードを終了しサウナ装置の終了運転を終了してサウナ装置は停止状態となるものである。また、自動排水弁１３は開弁の状態のままサウナ装置は停止状態となるものである。
【００５３】
以上説明した乾燥モードにおいて、送風機３５の駆動を開始させると共に、給気口３６に取り付けられた空気ヒータ４３を通電させ、さらに換気扇４７を駆動させることで、サウナ室２内の湿気を排出すると共に、空気ヒータ４３にて加熱した空気を微細水滴及びマイナスイオン発生装置１内や吸引ダクト４内及びサウナ室２内を循環させて、微細水滴及びマイナスイオン発生装置１内や吸引ダクト４内及びサウナ室２内の乾燥が行われるので、装置１内や吸引ダクト４内及びサウナ室２内でのカビの発生や菌等の繁殖を防止することができるものである。
【００５４】
次に、安定モードの時にシャワースイッチ６１をＯＮ操作すると作動するシャワー待機モードについて図１４のフローチャートを用いて説明すると、まず制御手段６２はシャワースイッチ６１がＯＮ操作されたことを検知すると（ステップＳ７０１）、次に現在のモードが安定モードであるか確認し（ステップＳ７０２）、安定モードである時、送風機３５停止、空気ヒータ４３非通電、回転用モータ２２停止、そして放出口５内に設けたシャッター６３を開状態から閉状態にする。（ステップＳ７０３）
【００５５】
続いて、室温センサ４６で検出するサウナ室２内の温度が、設定温度−０．５℃以下になったら、加熱ヒータ９に通電し、室温センサ４６で検出するサウナ室２内の温度が設定温度以上になったら、加熱ヒータ９への通電をＯＦＦにするというように、サウナ室２内の温度を設定温度に保つように加熱ヒータ９をＯＮ／ＯＦＦ制御し（ステップＳ７０４）、サウナ運転を再開したらすぐにサウナ室２内の温度を設定温度にできるように温水の温度を４０℃〜５０℃程度に保つものである。
【００５６】
そしてシャワーースイッチ６１がＯＦＦ操作されると（ステップＳ７０５）、シャッター６３を閉状態から開状態にして（ステップＳ７０６）、サウナ運転を再開するために立ち上げモードに移行するものである。（ステップＳ７０７）
【００５７】
また、（ステップＳ７０５）でシャワーースイッチ６１がＯＦＦ操作されない時、次にシャワースイッチ６１がＯＮ操作されてから所定時間経過したか判断する。（ステップＳ７０８）
本発明では所定時間を１時間とし、シャワースイッチ６１がＯＮ操作されてから所定時間経過した時、サウナ運転は再開されないと判断して、シャッター６３を閉状態から開状態にして（ステップＳ７０９）、運転を終了させるために除菌モードＢに移行するものである。（ステップＳ７１０）
【００５８】
以上説明したシャワー待機モードにおいて、送風機３５停止、空気ヒータ４３非通電、回転用モータ２２停止させ、加熱ヒータ９だけ制御してサウナ運転を再開したらすぐにサウナ室２内の温度を設定温度にできるように温水の温度を４０℃〜５０℃程度に保つことで、シャワーを浴びる時に無駄なサウナ運転を行わないようにしつつ、次の人がサウナを使用する時すぐにサウナ運転ができて使い勝手をよくすることができるものである。
【００５９】
又、前記シャワー待機モードに移行してからシャワースイッチがＯＦＦ操作されずに所定時間経過した時、サウナ運転終了後の除菌モードに移行するので、シャワー待機モードに設定したままになっても自動的に運転を停止するので、シャワースイッチをＯＦＦ操作するのを忘れても運転が終了されて安全であり、また無駄な運転を行うことを防止できるものである。
【００６０】
又、前記水破砕手段で生成された微細水滴及びマイナスイオンをサウナ室内に供給する放出口にシャッターを設け、シャワー待機モードではシャッターを閉状態とし、シャワー待機モード以外では開状態とするもので、サウナ室内でシャワーを浴びる時にシャンプーや石けんの混ざったシャワーの水が微細水滴及びマイナスイオン発生装置に入るのを防ぎ、貯水部内の水が汚れるのを防止できるものである。
【符号の説明】
【００６１】
１  微細水滴及びマイナスイオン発生装置
２  サウナ室
６  貯水部
９  加熱ヒータ（加熱手段）
１２  排水管
１３  自動排水弁
２２  回転用モータ（水破砕手段）
２４  回転体（水破砕手段）
２９  多孔体（水破砕手段）
３５  送風機
４３  空気ヒータ（空気加熱手段）
４７  換気扇（換気手段）
６１  シャワーースイッチ
【図１】
2011182945.tif 000003
【図２】
2011182945.tif 000004
【図３】
2011182945.tif 000005
【図４】
2011182945.tif 000006
【図５】
2011182945.tif 000007
【図６】
2011182945.tif 000008
【図７】
2011182945.tif 000009
【図８】
2011182945.tif 000010
【図９】
2011182945.tif 000011
【図１０】
2011182945.tif 000012
【図１１】
2011182945.tif 000013
【図１２】
2011182945.tif 000014
【図１３】
2011182945.tif 000015
【図１４】
2011182945.tif 000016
【図１５】
2011182945.tif 000017
【図１６】
2011182945.tif 000018
【図１７】
2011182945.tif 000019
【図１８】
2011182945.tif 000020
【図１９】
2011182945.tif 000021